Podtech/llm-jp-corpus-v4-ja_patent huggingface dataset:
(57)【要約】【課題】カレンダーの表面の日付毎に設けた貯金口より投貨されたお金がカレンダーの裏面に設けた貯金袋に溜まる貯金袋付きカレンダーを提供する。【解決の手段】カレンダーの表面に設けた貯金口より貯金し裏面の貯金袋にお金が溜まることを特徴とする。【選択図】図１
2008162227.tif 000002
【特許請求の範囲】
【請求項１】
イ．カレンダー（１）の表面日付毎に貯金口（２）を設ける。
ロ．カレンダー（１）の裏面に貯金袋（３）を設ける。
【発明の詳細な説明】
【発明の詳細な説明】
【技術分野】
【０００１】この発明はカレンダー（１）の日付毎にお金を入れる貯金口（２）を設け、カレンダー（１）の裏面にお金を貯める袋（３）を設けた貯金カレンダーである。
【背景技術】
【０００２】従来のカレンダーは、日付、曜日、行事等を印刷している。
【発明が解決しようとする課題】
【０００３】これは次のような欠点があった。お金を貯金する場合ほとんどは貯金箱を使用している。何日はいくら貯金したか判らない。本発明は、以上の欠点を解決するためになされたものである。
【課題を解決するための手段】
【０００４】カレンダー（１）の日付毎に貯金口（２）を設け、裏面に貯金口（２）より投貨したお金が溜まる貯金袋（３）を設ける。
本発明は、以上の構成よりなる貯金袋付きカレンダーである。
【発明を実施するための最良の形態】
【０００５】以下、本発明の実施の形態を説明する。
（イ）カレンダー（１）の日付毎に貯金口（２）を設ける。
（ロ）カレンダー（１）の裏面に貯金口（２）より投貨したお金が溜まる貯金袋（３）を設ける。
本発明は、以上の構成になっている。
本発明を使用する時は、カレンダー（１）の日付毎に設けた貯金口（２）よりお金を投貨する。  投貨されたお金はカレンダー（１）の裏面に設けられた貯金袋（３）に溜まる。
【発明の効果】
【０００６】本発明を使用することによって
イ．毎日貯金する習慣が身に付く。  一ヶ月毎にカレンダー（１）の裏面に設けた
貯金袋（３）に溜まったお金を確認し、貯金の実態（何日にいくら貯金したか）が把握できる。
ロ．カレンダー（１）の表面では貯金額が判らないが、一ヶ月毎にカレンダー（１）の裏面に溜まったお金を数える楽しみがある。
【図面の簡単な説明】
【図１】本発明の正面図
【図２】本発明の裏面図
【図３】本発明の側面図
【符号の説明】
１．カレンダー
２．貯金口
３．貯金袋
４．接着
【図１】
2008162227.tif 000003
【図２】
2008162227.tif 000004
【図３】
2008162227.tif 000005
(57)【要約】      （修正有）【課題】粘度の高い内容液の容器内での移動を容易とするスクイズ容器を提供する。【解決手段】高粘度の内容液を充填し、胴部でのスクイズを可能とする容器本体1と、この容器本体の口部1aに着脱可能に装着される注出栓2とを備えたスクイズ容器において、注出栓を、容器の口部にねじ止めもしくはアンダーカットによって係合する環状側壁2aと、この側壁の上端部に一体連結し容器本体内の内容液を外界へと排出する開孔2cを備えた天面壁2bにて構成する。そして、天面壁に、容器本体の底部1bもしくは底部近傍域へと伸延する先端を有し外気を容器本体内へ導入する送給管4を設ける。【選択図】図１
2008162629.tif 000002
【特許請求の範囲】
【請求項１】
高粘度の内容液を充填し、胴部でのスクイズを可能とする容器本体と、この容器本体の口部に着脱可能に装着される注出栓とを備えたスクイズ容器であって、
前記注出栓は、容器の口部にねじ止めもしくはアンダーカットによって係合する環状側壁と、この側壁の上端部に一体連結し容器本体内の内容液を外界へと排出する開孔を備えた天面壁からなり、
該天面壁に、容器本体の底部もしくは底部近傍域へと伸延する先端を有し外気を容器本体内へ導入する送給管を設けたことを特徴とするスクイズ容器。
【請求項２】
前記エア送給管は、その先端に、内容液の流入を阻止して外気のみを容器本体内に送給するスリット、逆止弁又は外気の透過を可能とする透過膜を備える、請求項1記載のスクイズ容器。
【請求項３】
前記注出栓は、ヒンジを介して開閉可能に保持される蓋体を有する、請求項1又は2に記載のスクイズ容器。
【発明の詳細な説明】
【技術分野】
【０００１】
本発明は、容器本体の胴部を押圧、変形させる操作によって内容液の注出を可能とするスクイズ容器に関するもので、とくに、粘度の高い内容液を確実に排出しようとするものである。
【背景技術】
【０００２】
トリートメントや整髪剤あるいはシャンプー、リンス等を充填する比較的小型の容器としては容器本体の胴部を押圧、変位させて内容液を排出するスクイズタイプの容器が多用されている（例えば特許文献1参照）が、とくに内容液が粘度の高いものにあっては、容器内での流動が緩慢で、場合によっては内容液の排出が困難になることもしばしば見受けられ、この点に関する改善が望まれていた。
【特許文献１】実開平5-70410号公報
【発明の開示】
【発明が解決しようとする課題】
【０００３】
本発明の課題は、粘度の高い内容液であっても、容器の口元に移動させて確実に排出できるスクイズ容器を提案するところにある。
【課題を解決するための手段】
【０００４】
本発明は、高粘度の内容液を充填し、胴部でのスクイズを可能とする容器本体と、この容器本体の口部に着脱可能に装着される注出栓とを備えたスクイズ容器であって、
前記注出栓は、容器の口部にねじ止めもしくはアンダーカットによって係合する環状側壁と、この側壁の上端部に一体連結し容器本体内の内容液を外界へと排出する開孔を備えた天面壁からなり、
該天面壁に、容器本体の底部もしくは底部近傍域へと伸延する先端を有し外気を容器本体内へ導入する送給管を設けたことを特徴とするスクイズ容器である。
【０００５】
上記の構成になるスクイズ容器において、前記エア送給管は、その先端に、内容液の流入を阻止して外気のみを容器本体内に送給するスリット、逆止弁又は外気の透過を可能とする透過膜を備えるのがよい。
【０００６】
また、前記注出栓は、ヒンジを介して開閉可能に保持される蓋体を設けることができ、この場合、蓋体には、開孔及び送給管の口部に嵌合してそれらを密閉する凸部を設けるのが望ましい。
【発明の効果】
【０００７】
注出栓の天面壁に、容器本体の底部もしくは底部近傍域へと伸延する先端を有する送給管を設けてこの送給管によって外界と容器本体内を導通させて外気（空気）を容器の内側に送給するようにしたので、粘度の高い内容液であってもスクイズにより簡単に内容液の排出が可能となる。
【発明を実施するための最良の形態】
【０００８】
以下、図面を参照して本発明をより具体的に説明する。
図1は本発明にしたがうスクイズ容器の実施の形態を示したものである。
図における1は胴部での救い図を可能とする容器本体、2は容器本体1の口部1aにねじ又はアンダーカットによって着脱可能に係合する注出栓である。
【０００９】
注出栓2は容器本体1の口部1aを取り囲む環状側壁2aと、この環状側壁2aの上端部に一体連結（一体成型）する天面壁2bからなっており、天面壁2bには容器本体1内の内容液を外界へと排出する開孔2c、送給管（後述）につながる開孔2dが形成されている。
【００１０】
また、3は注出栓2にヒンジhを介して開閉可能に設けられた蓋体である。この蓋体3は開孔2b及び開孔2cに適合して密閉する凸部3a、3bを有している。
【００１１】
さらに、4は容器本体1の底部1bもしくはその近傍域へと伸延し先端を溶着により閉塞させた構造になる送給管である。この送給管4は先端部の周壁にスリットSが設けられており、その上端が天面壁2bの裏面に設けられた凹部2b1に嵌合していて、開孔2dを通して外気（空気）を容器本体1内に送り込むことができるようになっている。
【００１２】
粘度の高い内容液が充填されたスクイズ容器においては、容器を傾倒させて揺さ振っても内容液は容器の底部に留まったままになることが多く、なかなか排出することができなかったが、本発明にしたがうスクイズ容器は、送給管4を通して容器本体1内に大気（空気）が入り込むので図2、図3に示す如く、容器内の内容液は容器の口部1aへスムーズに移動することになる。
【００１３】
送給管4の先端には図2に示したように水平のスリットSを設けた場合について示したが、その要部を図4（a）〜（c）に示すように傾斜のついたスリットS1、縦型スリットS2あるいは円形の開口S3を複数個設けたものであってもよく、この点について種々の変更が可能である。
【００１４】
また、図5（a）（b）に示すように、スリットや開口の代わりに逆止弁5（三点弁等）を設けてもよいし、空気の透過を可能とする透過膜6を設けてもよい。
【産業上の利用可能性】
【００１５】
粘度の高低に係わりなしに容器の内容液を口元まで移動させることができるスクイズ容器が提供できる。
【図面の簡単な説明】
【００１６】
【図１】本発明にしたがうスクイズ容器の実施の形態を示した図である。
【図２】図1に示した容器の使用状態を示した図である。
【図３】図1に示した容器の使用状態を示した図である。
【図４】（a）〜（c）は送給管の要部拡大図である。
【図５】（a）（b）は送給管の要部拡大図である。
【符号の説明】
【００１７】
1  容器本体
1a  口部
1b  底部
・  注出栓
2a  環状側壁
2b  天面壁
2c  開孔
2d  開孔
3  蓋体
4  送給管
5  逆止弁
6  透過膜
S  スリット
【図１】
2008162629.tif 000003
【図２】
2008162629.tif 000004
【図３】
2008162629.tif 000005
【図４】
2008162629.tif 000006
【図５】
2008162629.tif 000007
(57)【要約】【課題】酸素の影響を回避して内容物の品質を長期間、高位に保てる注出栓を提案する。【解決手段】内容物の注出口を形成するヘッド1と、このヘッド1に一方を連結し、他方をヒートシールによって密着させてその内側に内容物の充填空間Mを形成する胴体2とを備えたチューブ容器において、前記ヘッド1に、充填空間Mで吊り下げ保持され、該ヘッド1の内壁面との相互間にて酸素吸収剤装填用の区画領域nを形成する隔壁3を設ける。【選択図】図１
2008162625.tif 000002
【特許請求の範囲】
【請求項１】
内容物の注出口を形成するヘッドと、このヘッドに一方を連結し、他方をヒートシールによって密着させてその内側に内容物の充填空間を形成する胴体とを備えたチューブ容器であって、
前記ヘッドに、充填空間で吊り下げ保持され、該ヘッドの内壁面との相互間にて酸素吸収剤装填用の区画領域を形成する隔壁を設けたことを特徴とするチューブ容器。
【請求項２】
前記隔壁は、注出口の外端面に充填空間側から連係する爪部を有しその内側で内容物の排出経路を形成する筒体と、この筒体につながり末端部分で環状溝を形成するフランジ部からなる、請求項1記載のチューブ容器。
【発明の詳細な説明】
【技術分野】
【０００１】
本発明は、チューブ容器に関するものであり、容器の内側に酸素吸収剤を配置して内容物の酸素による影響を極力小さくしようとするものである。
【背景技術】
【０００２】
容器内に充填された内容物の品質を長期にわたって保持する手法としては、従来、容器の壁部にバリヤ機能や遮光機能をもった樹脂あるいは金属箔の層を適宜付加して外部からの酸素や光の侵入を防止するようにしていた（例えば特許文献1参照）。
【特許文献１】特開平11-198950号公報
【０００３】
ところで、上記のような機能を有する容器は、容器の壁部を透過するガス（酸素等）や光に対しては高い効果が期待されていたけれども、とくに、容器内の空隙部に存在する酸素あるいは内容物に不可避的に含まれる酸素をより効果的に低減することに関しては容器を密閉するキャップの裏側に吸収剤を配置する構造が見られる程度であって、未だ改善の余地が残されていた。
【発明の開示】
【発明が解決しようとする課題】
【０００４】
本発明の課題は、容器内に存在する酸素や内容物に不可避的に含まれる酸素の影響を効果的に低減できる新規な注出栓を提案するところにある。
【課題を解決するための手段】
【０００５】
本発明は、内容物の注出口を形成するヘッドと、このヘッドに一方を連結し、他方をヒートシールによって密着させてその内側に内容物の充填空間を形成する胴体とを備えたチューブ容器であって、
前記ヘッドに、充填空間で吊り下げ保持され、該ヘッドの内壁面との相互間にて酸素吸収剤装填用の区画領域を形成する隔壁を設けたことを特徴とするチューブ容器である。
【０００６】
上記の構成になるチューブ容器において、前記隔壁は、注出口の外端面に充填空間側から連係する爪部を有しその内側で内容物の排出経路を形成する筒体と、この筒体につながり末端部分で環状溝を形成するフランジ部にて構成することができる。
【０００７】
チューブ容器としては、単層のものやバリヤ層や遮光層を備えた積層タイプの何れの容器を用いるこができる。
【発明の効果】
【０００８】
容器の内側に酸素吸収剤そのものを配置することが可能であり、容器内に存在する酸素や内容物に含まれる酸素を積極的に取り除くことができ、容器の開封後であっても内容物の品質は長期にわたって高位に保たれる。
【発明を実施するための最良の形態】
【０００９】
以下、図面を参照して本発明をより具体的に説明する。
図1は本発明に従うチューブ容器の実施の形態を示したものであり、図中1はヘッドである。このヘッド1は肩部1aと、この肩部1aにつながり、内容物の注出口Kを形成する筒体1bからなる。
【００１０】
また、2はヘッド1の肩部1aに一方を連結し、他方をヒートシールによって密着させてその内側に内容物の充填空間Mを形成する胴体、3は充填空間Mで吊り下げ保持され、該ヘッド1の内壁面との相互間にて酸素吸収剤装填用の区画領域nを形成する隔壁である。隔壁3はその外観斜視図を図2に示すように、注出口Kの外端面K1に充填空間M側から連係する爪部3aを有し、その内側で内容物の排出経路を形成する筒体3bと、この筒体3bにつながり末端部分で環状溝を形成するフランジ部3cからなる
【００１１】
ヘッド1と胴体2とを連結して酸素吸収剤Oを隔壁3のフランジ部3cに載置するとともに該隔壁3を充填空間Mに差し入れ、爪部3aを注出口Kの外端面K1に連係させて充填空間Mで隔壁3を吊り下げ保持すると、ヘッド1の内壁面との相互間には酸素吸収剤装填用の区画領域nが形成されることとなる。
【００１２】
本発明において適用するチューブ容器は、単層の合成樹脂からなるものが適用できるが、図3に示すように、バリヤ層や遮光層2aを備えた積層タイプの容器を適用することが可能である。区画領域nには、例えば乾燥剤を装填することも勿論可能であり、装填するものは適宜変更し得る。
【００１３】
チューブ容器は、押し出し成形により胴体2を形成し、その一端に射出成型によってヘッド1を一体的に形成することによって製造してもよいし、また、合成樹脂製の薄肉シートを筒状に丸め、端部を相互に重ね合わせて接合してこれを胴体とし、この胴体の一端にヘッドを形成するか、あるいはブロー成形によりヘッド及び胴体を一体的に形成することによって製造することが可能であり、製造法についてはとくに限定されない。
【産業上の利用可能性】
【００１４】
容器内の空隙部に存在する酸素や内容物に不可避的に含まれる酸素を効果的に低減して内容物の品質を長期にわたって維持できるチューブ容器が提供できる。
【図面の簡単な説明】
【００１５】
【図１】本発明にしたがうチューブ容器の実施の形態を示した図である。
【図２】隔壁の外観斜視図である。
【図３】本発明にしたがうチューブ容器の他の例を示した図である。
【符号の説明】
【００１６】
1  ヘッド
1a  肩部
1b  筒体
2  胴体
2a  バリヤ層、遮光層
3  隔壁
3a  爪部
3b  筒体
3c  フランジ部
M  充填空間
N  区画領域
K  注出口
【図１】
2008162625.tif 000003
【図２】
2008162625.tif 000004
【図３】
2008162625.tif 000005
(57)【要約】【課題】従来のボトル容器は、飲料単体、もしくは粉末等を開栓時に自動落下させる容器やストロー等の挿入による破断により粉末等を落下させる容器などはあるが、自分の好みや必要な錠剤などを飲む場合、別容器で保管する方法しかなかった。【解決手段】飲料と錠剤や粉末とを１つの容器内に分離した状態で密封し、錠剤や粉末を飲料と同時または分離して飲むことができる容器を提供する。また、市販の飲料ボトル容器に装着・脱着可能な小容器を提供する。その小容器には、自分の好みや必要な錠剤や粉末を入れて使用することで一体化ボトルと同じ役割を果たす。【選択図】図２
2008162687.tif 000002
【特許請求の範囲】
【請求項１】
（イ）飲料用ボトル容器本体にキャップを設ける。
（ロ）飲料用ボトル容器本体の内側に小容器本体を設ける。
（ハ）小容器本体の底部に網ガードを設ける。
（ニ）小容器本体の底部に下蓋を設ける。
（ホ）小容器本体の内側に開栓棒を設ける。
以上のように構成された飲料用ボトル容器である。
【請求項２】
（イ）小容器本体に小容器キャップを設ける。
（ロ）小容器本体の底部に網ガードを設ける。
（ハ）小容器本体の底部に下蓋を設ける。
（ニ）小容器本体の内側に開栓棒を設ける。
（ホ）小容器本体は、飲料用ボトル容器に装着・脱着可能である。
以上のように構成された小容器である。
【発明の詳細な説明】
【技術分野】
【０００１】水やお茶等の飲料と性質の異なる錠剤や粉末とを１つの容器内に分離した状態で保有する容器に関するものである。【０００２】一般の飲料用ボトル容器の飲み口に装・脱着可能な小容器つまり飲料と性質の異なる錠剤や粉末を収納できる容器に関するものである。
【背景技術】
【０００３】従来のボトル容器は、飲料単体、もしくは粉末等を開栓時に自動落下させる仕組みの容器やストロー等の挿入による破断により粉末等を落下させる仕組みの容器などはあるが、自分の好みや必要な錠剤などを飲む場合、別容器で保管するしかなかった。
【発明の開示】
【発明が解決しようとする課題】
【０００４】本発明は、飲料と錠剤や粉末とを１つの容器内に分離した状態で密封することのできる容器を提供することである。【０００５】また、一般の飲料用ボトル容器の飲み口に装着することで、１つの容器内に分離した状態と同じ役割を果たす小容器を提供することである。
【課題を解決するための手段】
【０００６】（イ）飲料用ボトル容器本体にキャップを設ける。
（ロ）飲料用ボトル容器本体の内側に小容器本体を設ける。
（ハ）小容器本体の底部に網ガードを設ける。
（ニ）小容器本体の底部に下蓋を設ける。
（ホ）小容器本体の内側に開栓棒を設ける。
以上のように構成された飲料用ボトル容器である。【０００７】（イ）小容器本体に小容器キャップを設ける。
（ロ）小容器本体の底部に網ガードを設ける。
（ハ）小容器本体の底部に下蓋を設ける。
（ニ）小容器本体の内側に開栓棒を設ける。
（ホ）小容器本体は飲料用ボトル容器に装着・脱着可能な容器である。
以上のように構成された小容器である。
【発明の効果】
【０００８】飲料に溶解させておくことが適しない物質、例えば薬剤などをカプセルに詰めるなどして錠剤化し、飲料と分離した状態で密封した飲料用ボトル容器を外出先等でも容易に飲むことができる。【０００９】飲み口に装着できる小容器に自分の好みのサプリメント等を入れておき、コンビニなどでボトル飲料を入手して一緒に飲むことができる。
【発明を実施するための最良形態】
【００１０】飲料用ボトル容器本体の内側に小容器本体を設け、小容器本体の底部に網ガードを設け、小容器本体の底部に下蓋を設け、小容器本体の内側に開栓棒を設けたことを特徴とした構成だから、ボトル本体にお茶を入れ分離されて密封された小容器にダイエットに有効な成分が入った錠剤を入れて、おくと、飲用時にお茶のカテキンとダイエット成分との相乗効果がはかれるなど、便利である。
【００１１】具体例として、社会問題化しているメタボリックシンドローム解消の一翼を担うことができる飲料が想定される。現在、寒天などの食物繊維の有効性はテレビ等で紹介され広く知られている。しかし、あらかじめ煮溶かすなどする必要があり、利便性に欠ける。市販されている物は、既に水分を吸収した状態で体積が数十倍から百数十倍に増加しており、持ち運び等に不便さが残る。
【００１２】その問題を解消するために有効なものがバジルシード、バジルシードは自然食品であり、その有効性はテレビ等で紹介され広く知られている。最も注目している点は、常温で水分を吸収して体積が３０倍になることを利用して食事の３０分前にバジルシードと水分とを摂取することで、食事量が減り、ダイエットにつながることである。
本発明では、お茶とバジルシードが主原料の錠剤とからなるペットボトル飲料を食事の３０分前に飲料することで消化器管内で脹らみ、満腹中枢を刺激することで食事量を減らすことができ、ダイエットにつながると考えられる。
また、食事と食事の間の空腹感を感じた時などに飲用することで、間食量を減らせダイエットにつながるとも考えている。
【００１３】小容器本体に小容器キャップを設け、小容器本体の底部に網ガードを設け、小容器本体の底部に下蓋を設け、小容器本体の内側に開栓棒を設けたことを特徴とした構成だから、コンビニ等で飲料ボトルを購入し、自分の好みのサプリメント等が入った小容器を装着して、一緒に飲むことができ、便利である。
【００１４】一体化したボトル飲料と違い、自分の好みで複数のサプリメントを組み合わせるなどして、飲料できるので便利である。
具体例として、野菜不足を解消するために、複数の野菜成分サプリメントを小容器に入れ持ち運び好きなタイミングで飲料ボトルを入手し、飲むことなどを想定している。
【図面の簡単な説明】
【図１】一体化ボトルの斜視図
【図２】一体化ボトルの断面図
【図３】一体化ボトルの開栓説明図
【図４】飲料用ボトル容器に小容器を装着した時の斜視図
【図５】飲料用ボトル容器に小容器を装着した時の断面図
【図６】飲料用ボトル容器に小容器を装着した時の開栓前説明図
【図７】飲料用ボトル容器に小容器を装着した時の開栓後説明図
【符号の説明】
１  網ガード
２  下蓋
３  開栓棒
４  ボトル本体
５  ボトルキャップ
６  小容器キャップ
７  小容器本体
【図１】
2008162687.tif 000003
【図２】
2008162687.tif 000004
【図３】
2008162687.tif 000005
【図４】
2008162687.tif 000006
【図５】
2008162687.tif 000007
【図６】
2008162687.tif 000008
【図７】
2008162687.tif 000009
(57)【要約】【課題】  飲料の劣化を抑える飲料ディスペンサーを提供する。【解決手段】  飲料に電流を印加する電流印加装置が設けられた飲料ディスペンサー。【選択図】図１
2008162681.tif 000002
【特許請求の範囲】
【請求項１】
ビールサーバー等の飲料ディスペンサーであって、飲料に電流を印加する電流印加装置が設けられたことを特徴とする飲料ディスペンサー。
【請求項２】
前記電流印加装置に、飲料に印加された電流の通電状態を確認できる機能が設けられたことを特徴とする請求項１記載の飲料ディスペンサー。
【発明の詳細な説明】
【技術分野】
【０００１】  本発明は、飲料に電流を印加する電流印加装置が設けられた飲料ディスペンサーに関するものである。
【背景技術】
【０００２】  従来、ビールサーバー等の飲料ディスペンサーより抽出される飲料の劣化を抑えるために、飲料ディスペンサーの回路内の洗浄が行われているが、前記回路内に残った飲料がロスになるという問題がある。特にビールサーバーにおいては、回路内のビールが毎日の洗浄により抜き取られることでロスが多く発生するという問題がある。
【発明の開示】
【発明が解決しようとする課題】
【０００３】  前記問題を解決するための飲料ディスペンサーを提供することを課題とする。
【課題を解決するための手段】
【０００４】  飲料ディスペンサーの回路内の飲料に電流を印加する低周波発振機等の電流印加装置を設けた飲料ディスペンサー。前記電流印加装置に、飲料に印加された電流の通電状態を確認できる機能を設けた飲料ディスペンサー。
【発明の効果】
【０００５】  本発明により、飲料ディスペンサーの回路内の野生酵母の増殖が抑えられることで飲料の劣化が抑えられ、前記洗浄による飲料のロスを抑える効果を与えられる。また、請求項２の発明により、電流を印加することができる飲料を判別することが容易になるとともに電流印加装置の不具合の発見が容易になり、安定的に飲料の劣化を抑える効果を与えられる。
【発明の実施するための最良の形態】
【０００６】  飲料ディスペンサー１に低周波発振機２を設置する。飲料ディスペンサーのホースの接続金具３に、低周波発振機２の電極部分４を取り付け、周波数に変化をもたせた低周波電流を３時間ごとに１０分間程度飲料に印加させる。前記ホースの接続金具３に凸型部を設け、それに着脱可能に取り付けられる凹型金具を前記電極部分４に設ける。また、前記低周波発振機１には、設定した時間に一定時間作動させるタイマー機能を設け、さらに、飲料に電流が印加されているとランプが点灯して通電状態を確認できる機能を設ける。
【図面の簡単な説明】
【０００７】
【図１】本発明の飲料ディスペンサーの斜視図である。
【符号の説明】
【０００８】    １  飲料ディスペンサー
２  低周波発振機
３  ホースの接続金具
４  低周波発振機１の電極部分
５  飲料ディスペンサーに接続された飲料容器
６  飲料ホース
７  電極のコード
８  炭酸ガスホース
【図１】
2008162681.tif 000003
(57)【要約】      （修正有）【課題】おいしく調理、食することが出来るようにした即席カップ麺時間確認装置の提供。【解決手段】即席カップ麺の側面又は、上蓋２に温度、湿度によって色、模様が調理時間経過で変化する表示装置を貼り付け又は、印刷することによって、食する時期を容易に判断できるため調理時間の誤差を少なくすることが出来るようになる。【選択図】図１
2008162683.tif 000002
【特許請求の範囲】
【請求項１】
市販のカップ麺を食する際に熱湯をカップに注ぎ調理時間を温度、湿度によって色又は、模様の変化で時間が確認できる装置を容器の側面及び上蓋に取り付ける。
【発明の詳細な説明】
【発明の詳細な説明】
この発明は市販の即席カップ麺を食する際、調理の時間経過をカップの側面及び上蓋に温度変化および内部湿度によって色、又は、模様の変化によって目視で容易に確認できる表示装置を印刷及び貼り付けたものである。
【図面の簡単な説明】
【図１】本発明の即席カップ麺上蓋取付けの基本略図
【図２】本発明の即席カップ麺側面取付けの基本略図
【符号の説明】
１は容器  ２は上蓋  ３は上蓋取付け時間表示装置  ４は側面取付け時間表示装置
【図１】
2008162683.tif 000003
【図２】
2008162683.tif 000004
(57)【要約】  【課題】クロック信号の立ち上がりエッジを検出するようにして、波形の悪いクロック信号の停止判定を行うことができるようした。  【解決手段】エッジ検出回路１１は、排他的論理和１１ａと、コンデンサと抵抗からなる遅れ回路１１ｂから構成される。このエッジ検出回路１１の入力端にクロック信号１２が入力されると、エッジ検出回路１１は、入力されるクロック信号を排他的論理和１１ａと遅れ回路１１ｂにより、出力には幅の狭いパルス信号１３を送出する。  この幅の狭いパルス信号１３は、ＬＰＦ１４に入力されて処理されると、ＬＰＦ１４の出力には、図示波形の信号１５を得る。この波形の信号１５は、ウィンドウコンパレータ１６で異常判定レベルＨ，Ｌと比較判定される。判定結果がウィンドウコンパレータ１６から出力される。  【選択図】図１
2008153718.tif 000002
【特許請求の範囲】
【請求項１】
クロック信号をローパスフィルタで処理して脈流のような波形信号にしてからクロック信号が異常かどうかを判定するクロック信号停止判定回路において、
前記ローパスフィルタの前段にクロック信号エッジ検出回路を設けて、クロック信号のパルス幅をエッジ検出回路で狭くしたことを特徴とするクロック信号停止判定回路。
【請求項２】
前記エッジ検出回路は、排他的論理和と遅れ回路からなり、遅れ回路を排他的論理和の一方の入力に設けたことを特徴とする請求項１記載のクロック信号停止判定回路。
【発明の詳細な説明】
【技術分野】
【０００１】
この発明は、クロック信号を必要とするマイクロコンピュータにおけるクロック信号停止を判定する回路に関するものである。
【背景技術】
【０００２】
クロック信号を必要とするマイクロコンピュータ（以下マイコンと称す）で、例えば、交流可変速駆動用インバータ装置を制御している場合に、クロック信号の供給が停止されると、マイクロコンピュータの動作ができなくなって、これに伴って前記インバータ装置の制御が不能になってしまう虞がある。このため、クロック信号が停止したことを検出するようにした回路がある（例えば、特許文献１，２，３参照）。
【０００３】
図２はクロック信号停止判定回路を示す構成図で、ローパスフィルタ（ＬＰＦ）２１の入力端に図示クロック信号２２が入力されると、その出力端にはクロック信号のほぼ中央部に波形模様の出力信号電圧２３が得られる。この出力信号電圧２３はウィンドウコンパレーター２４に入力され、このコンパレータ２４で異常判定レベルＨ，Ｌと比較される。出力信号電圧２３が異常判定レベルＨ，Ｌ内であれば正常と判定されて出力され、異常判定レベルＨ以上か、異常判定レベルＬ以下かの場合には、クロック信号が停止した判定される。
【特許文献１】特開平１０−１９０４１３号公報
【特許文献２】特開平１１−００８５３８号公報
【特許文献３】特開２００３−０６０４９０号公報
【発明の開示】
【発明が解決しようとする課題】
【０００４】
上記クロック信号停止判定回路では、クロック信号の波形が、正確な方形波でなくても、あるいは、クロック信号の波形が、いわゆる「なまった波形」であってもＬＰＦ２１の出力電位にはあまり変化はない。このため、ウインドウコンパレータ２４では、上記のようなクロック信号波形でも正常なクロック信号であると判定出力する。しかし、マイコンに入力されるクロック信号の波形が「なまった波形」の信号であると、マイコンは正常に動作をしなくなる問題がある。
【０００５】
この発明は、上記の事情に鑑みてなされたもので、クロック信号の立ち上がりエッジを検出するようにして、波形の悪いクロック信号の停止判定を行うことができるようしたクロック信号停止判定回路を提供することを課題とする。
【課題を解決するための手段】
【０００６】
この発明は、上記の課題を達成するために、第１発明は、クロック信号をローパスフィルタで処理して脈流のような波形信号にしてからクロック信号が異常かどうかを判定するクロック信号停止判定回路において、
前記ローパスフィルタの前段にクロック信号エッジ検出回路を設けて、クロック信号のパルス幅をエッジ検出回路で狭くしたことを特徴とするものである。
【０００７】
第２発明は、前記エッジ検出回路が、排他的論理和と遅れ回路からなり、遅れ回路を排他的論理和の一方の入力に設けたことを特徴とするものである。
【発明の効果】
【０００８】
以上述べたように、この発明によれば、クロック信号をエッジ検出回路により入力させることによって、方形波状でないような波形のクロック信号を異常である判定することにより、マイコンの動作を不安定にしないクロック信号停止の判定を行うことができる。
【発明を実施するための最良の形態】
【０００９】
以下この発明の実施の形態を図面に基づいて説明する。図１はこの発明の実施の形態を示す構成図で、１１は排他的論理和１１ａと、コンデンサと抵抗からなる遅れ回路１１ｂから構成されるエッジ検出回路で、このエッジ検出回路１１の入力端に図示のようなクロック信号１２が入力される。エッジ検出回路１１は、入力されるクロック信号を排他的論理和１１ａと遅れ回路１１ｂにより、出力には幅の狭いパルス信号１３を送出する。
【００１０】
この幅の狭いパルス信号１３は、ＬＰＦ１４に入力されて処理されると、ＬＰＦ１４の出力には、図示波形の信号１５を得る。この波形の信号１５は、ウィンドウコンパレータ１６で異常判定レベルＨ（電源電圧以下ローパスフィルタ出力以上）および異常判定レベルＬ（０Ｖ以上ローパスフィルタ出力以下）と比較判定され、図示のレベル範囲内であるならば正常なクロック信号である「０」Ｖを送出し、異常なら「Ｈｉｇｈ」を送出し、クロック信号停止の判定を行う。
【００１１】
上記エッジ検出回路１１をＬＰＦ１４の前段に設けたので、波形の悪いクロック信号がエッジ検出回路１１に入力されると、エッジ検出回路１１は幅の狭いパルス信号にするために、波形の悪いクロック信号が入力されると、エッジ検出回路１１には出力が生じなくなる。このため、エッジ検出回路１１を設けることは、マイコンに常に良い波形のクロック信号が供給されることになり、マイコンにおける制御の信頼性が生じてくる。
【図面の簡単な説明】
【００１２】
【図１】この発明の実施の形態を示す構成図。
【図２】従来のクロック信号停止判定回路の構成図。
【符号の説明】
【００１３】
１１…エッジ検出回路
１１ａ…排他的論理和
１１ｂ…遅れ回路
１４…ローパスフィルタ（ＬＰＦ）
１６…ウィンドウコンパレータ
【図１】
2008153718.tif 000003
【図２】
2008153718.tif 000004
(57)【要約】【課題】  従来の回路スイッチは壁の表面に付いています。このスイッチ器具は水や油のはねるような場所では使用できないので、壁の表面のスイッチ器具を交換して防水性の機能を持つスイッチを付けている。又狭い場所ではスイッチ器具の出っ張りがじゃまになったり油汚れになるような所ではスイッチ器具の掃除が大変です。使用者が困っている部分である。【解決手段】  従来の回路用スイッチの場所へ、本発明の壁裏スイッチを固定すると、表面のスイッチ器具が無くなり壁の傷も無くなります。壁は防水性の効果出て来ます。又壁裏スイッチを固定した場所へ、磁石に反応する鉄板を近づけると回路が繁がる。又壁裏スイッチには縦壁用と床壁用がある。【選択図】図１
2008153183.tif 000002
【特許請求の範囲】
【請求項１】
壁裏に磁石をうめ込んだ配線回路の壁裏スイッチを取り付けて、壁の表側から磁石に反応する鉄板を近づけて磁石が引き付ける力により、回路が繋がる。
【発明の詳細な説明】
【技術分野】
【０００１】  本発明は、壁裏から配線回路のスイッチか繋がる装置に関する
【背景技術】
【０００２】  従来の建築物、配線回路用の壁（固定）スイッチ図５のような壁の表面に付いている部屋の照明とか換気扇、外灯などの切り替えスイッチである。【０００３】  また壁面の表面器具を交換することで、機能性が違ってくる
【発明の開示】
【発明が解決しようとする課題】
【０００４】  以上に述べた従来の回路用スイッチだと水や油等ハネたりする場所では、使用できないので壁の表面器具を交換して防水機能のあるスイッチを付けている。【０００５】  また狭い場所ではスイッチ器具の出っ張りがじゃまになったり油汚れになるような場所ではスイッチ器具の掃除が大変です。使用者が困っている部分である。【０００６】  このような従来の問題を解決しようとするものであり新しい回路用スイッチとして実現することを目的とするものである。
【課題を解決するための手段】
【０００７】  そして上記目的を達成する為に従来のスイッチのある場所へ本発明の壁裏スイッチを固定すると表面のスイッチ器具が無くなり壁の傷も無くなる。又壁も防水性の効果もある。【０００８】  それで壁裏スイッチを固定した場所へ、鉄板を近づけると回路が繋がる。【０００９】  また、壁裏スイッチには、縦壁用と床壁用がある。
【発明の効果】
【００１０】  上述したように本発明の壁裏スイッチは、従来のスイッチと違った利用の仕方が出来、壁が防水効果のある場所では外壁とか風呂の洗場等に最適である。又手が濡れている場合でも安全にスイッチの切り替えが出来る。【００１１】  また防犯用のスイッチ器具としても可能である。
【発明を実施するための最良の形態】
【００１２】  以下、本発明の実施の形態を図１〜図４に基づいて説明する。【００１３】  図３は床壁用の壁裏スイッチである。壁１４があってその下に磁石１がある。それと絶縁体４とスイッチ５が一個体１６である。壁１４の上に磁石で反応する鉄板１５を近づけると押し出しバネ２が縮み下の磁石【００１４】  また上の鉄板１５を離すと図４の押し出しバネ２が伸びて磁石１一個体１６が下がると（−）回路６（＋）回路９が切れて（−）回路７（＋）回路８が繋がる。【００１５】  また図１は縦壁用の壁裏スイッチである。まずＡ−Ａ′の直線上の断面にシャフト１３がある。そこから磁石吊り金具３をたらしてシャフト１３を中心にブランコのように揺れる運動である。Ｂ−Ｂ′同じ【００１６】  それで縦壁用は壁１４があって横に磁石１がある。上記の磁石吊り金具３を下端シャフト１７に磁石１、一個体１６も取り付ける（図２Ａ、Ｂ−Ｂ′の断面も同じブランコ式）壁面へ磁石に反応する鉄板１５を近づけると押し出しバネ２が縮み、一個体が摩擦力が無く（−）回路（＋）回路が繁がる。【００１７】  磁石が反応する組み合わせ
図面は１  磁石            １５  鉄板
１  （＋）磁石      １５  （−）磁石
１  （＋）磁石      １５  （＋）磁石
１  鉄板            １５  磁石
【図面の簡単な説明】
【００１８】
【図１】本発明の実施形態を示す壁裏スイッチの縦壁用  内部断面図Ａ−Ａ′  Ｂ−Ｂ′直線上断面
【図２】壁裏スイッチの縦壁用Ａ−Ａ′、Ｂ−Ｂ′の断面内部図面
【図３】床壁用磁石が上がった状態の内部断面図
【図４】床壁用磁石が下った状態の内部断面図
【図５】従来の配線回路用の壁（固定）スイッチ見取り図
【符号の説明】
【００１９】１    磁石
２    押し出しバネ
３    磁石吊り金具
４    絶縁体
５    スイッチ（開閉）
６    （−）回路
７    （−）回路
８    （＋）回路
９    （＋）回路
１０  スイッチ吊り金具
１１  絶縁体
１２  フタ（磁石に反応しない物）
１３  シャフト（吊り金具用）
１４  壁
１５  鉄板
１６  一個体（磁石１，絶縁体４，スイッチ５）
１７  下端シャフト
【図１】
2008153183.tif 000003
【図２】
2008153183.tif 000004
【図３】
2008153183.tif 000005
【図４】
2008153183.tif 000006
【図５】
2008153183.tif 000007
(57)【要約】【課題】電気製品等の使用者がコードを無理に引抜いた場合、コードの断線により断線部分の発熱により思わぬ火災が発生する原因や、幼児等がコードを足で引っ掛けた場合に転倒する危険を排除する。また、生産時に磁石を用いた電源接続装置を備えていない既に一般家庭にある電気製品等に容易に取付けることを可能にする。【解決手段】電気製品等のプラグの差込口を有する雄型Ｍの磁石１とコネクターピン３のある面１０と壁等に設置されたコンセントに差込むプラグを有する雌型Ｆのメタルプレート２とコネクターパッド４のある面２０が容易に装着及び離脱できることにより、この課題を解決する。【選択図】図５
2008153182.tif 000002
【特許請求の範囲】
【請求項１】
電気製品等のプラグを差込む雄型とコンセントに差込む雌型を備え、雄型と雌型の結合部分に磁石を取付け雄型と雌型を容易に脱着可能とし、プラグ差込と反対側の雄型にコネクターパッド、コンセント差込の反対側の雌型にコネクターピンを装着し、雄型と雌型が結合した時は両者により通電を可能とすることができる器具。
【発明の詳細な説明】
【技術分野】
【０００１】本発明は、移動・収納を繰返す電気製品等のプラグに関するものであり、使用者が無理にコードを引張った場合でも電気製品等のプラグやコードに負荷を掛けることがないようにしたものである。
【背景技術】
【０００２】従来の移動・収納を繰返す電気製品等（例えば電気掃除機）は、使用後使用者がプラグを手で持ち、コンセントから真直ぐプラグを引抜かなければならなかった。【０００３】従来、電気製品等の生産時に磁石を用いた電源接続装置は発明されていたが、あくまで生産時に磁石を用いた電源接続装置を備えた特定品のみが対象となり、生産時に磁石を用いた電源接続装置を備えていない一般多数の電気製品等には容易に取付けることができないので、一般多数の使用者には何ら問題解決とならなかった。
【特許文献１】  特開平８−２９８１６４号
【発明の開示】
【発明が解決しようとする課題】
【０００４】しかし、使用者は往々にして電気製品等のコードを無理に引っ張り、その勢いでプラグがコンセントから外れていた。特に電気掃除機を使用する場合、床近くに設置されたコンセントを使用する場合が多く、又電気掃除機からコンセントまでの距離が長いこともあり、このような使用が多く見られる。このような使用方法では、プラグの変形や、コードの断線の危険性がある。【０００５】このような危険性は、断線部分の発熱により思わぬ火災が発生する原因となる。また特に幼児等がコードを足で引っ掛けた場合、転倒する危険性がある。しかし、使用者が日常的に無意識のうちにコードを引張る行為を規制することは、このような事実が後を絶たない現状を鑑みれば不可能である。【０００６】そこで、このような危険を回避するために、電気製品等の使用者が無理にコードを引張った場合でも、電気製品等のプラグやコードに負荷を掛けることがなく、尚且つ、既に一般家庭にある電気製品等に容易に取付けることができる磁石式電源プラグ脱着器が不可欠である。
【課題を解決するための手段】
【０００７】電気製品等のプラグを差込む雄型とコンセントに差込む雌型を備え、雄型と雌型の結合部分に磁石を取付け雄型と雌型を容易に脱着可能とし、プラグ差込と反対側の雄型にコネクターパッド、コンセント差込の反対側の雌型にコネクターピンを装着し、雄型と雌型が結合した時は両者により通電を可能とすることができる器具を発明した。
【発明の効果】
【０００８】この器具により、使用者が電気製品等のコードを無理に引張っても、磁石により雄型と雌型が容易に外れ、プラグやコードに負荷を掛けないので、プラグの変形や、コードの断線の危険性がなくなる。延いては、断線部分の発熱により思わぬ火災が発生する原因を排除することができる。また特に幼児等がコードを足で引っ掛けた場合でも、磁石により雄型と雌型が容易に外れるので、転倒する危険性も排除することができる。【０００９】この器具は、雌型を壁等に設置されたコンセントに差込み、電気製品等のプラグを雄型に差込むので、生産時に磁石を用いた電源接続装置を備えていない既に一般家庭にある電気製品等に容易に取付けることができる。この器具は、対象とする電気製品等を特定することがないので、火災や転倒事故の原因を排除するという公益に寄与することを発明の効果とする。
【発明を実施するための最良の形態】
【００１０】本発明に係わる磁石式電源プラグ脱着器具は、図５で示すように、電気製品等のプラグＰを雄型Ｍに差込み、雌型Ｆを壁等に設置されたコンセントＣに差込む。図２で示すように、雄型Ｍと雌型Ｆは磁石１とメタルプレート２で装着され、雄型Ｍの２個のコネクターピン３と雌型Ｆの２個のコネクターパッドが接触して通電する。【００１１】また、使用者がプラグＣに接続している電気製品等のコードを通常使用する範囲においてどのような角度から引張ても、脱着面である雄型１０と雌型２０の寸法、曲線及び磁石の強度を決める。
【図面の簡単な説明】
【００１２】
【図１】本発明に係わる磁石式電源プラグ脱着器具の雌型と雄型を装着した図である。
【図２】本発明に係わる磁石式電源プラグ脱着器具の雌型と雄型を離し、雌型と雄型の各々の脱着面の図である。
【図３】本発明に係わる磁石式電源プラグ脱着器具の雄型の電気製品等のプラグの差込口のある側の図である。
【図４】本発明に係わる磁石式電源プラグ脱着器具の雌型の壁等に設置されたコンセントに差込むプラグのある側の図である。
【図５】本発明に係わる磁石式電源プラグ脱着器具の雌型と雄型、及び各々が電気製品等のプラグと壁等に設置されたコンセントを接続する図である。
【図６】本発明に係わる磁石式電源プラグ脱着器具の部品の展開図である。
【符号の説明】
【００１３】１      磁石
２      メタルプレート
３      コネクターピン
４      コネクターパッド
５      プラグの差込口
６      プラグ
１０    雄型の雌型と脱着する面
２０    雌型の雄型と脱着する面
Ｃ      壁等に設置されたコンセント
Ｆ      雌型
Ｍ      雄型
Ｐ      電気製品等のプラグ
【図１】
2008153182.tif 000003
【図２】
2008153182.tif 000004
【図３】
2008153182.tif 000005
【図４】
2008153182.tif 000006
【図５】
2008153182.tif 000007
【図６】
2008153182.tif 000008
(57)【要約】【課題】一部の劣化電池によって引き起こされる使用可能な容量の低下を防ぐことができる並列組電池を提供する。【解決手段】並列に接続された電池の各ラインＬ１〜Ｌｎに設けられた開閉器Ｍｇ１〜Ｍｇｎと、各ラインＬ１〜Ｌｎの電池Ｓ…の内部抵抗を求める内部抵抗検知手段と、該検知手段からの検知信号に基づいて、内部抵抗値が設定抵抗値を上回る抵抗値を示した電池のラインを切り離す制御を前記開閉器に対して行う制御部とが備えられている。【選択図】      図１
2008153150.tif 000002
【特許請求の範囲】
【請求項１】
複数の単電池を直列に接続したラインが複数備えられ、該複数のラインが並列に接続された並列組電池において、
前記ラインのそれぞれに設けられた開閉器と、
各ラインの各単電池の内部抵抗を求める内部抵抗検知手段と、
該検知手段からの検知信号に基づいて、内部抵抗値が設定抵抗値を上回る抵抗値を示した単電池の存在するラインを切り離す制御を前記開閉器に対して行う制御部と
が備えられていることを特徴とする並列組電池。
【発明の詳細な説明】
【技術分野】
【０００１】
本発明は、並列組電池に関する。
【背景技術】
【０００２】
例えばリチウムイオン二次電池は、変動電圧範囲が規定されており、上限、下限の電圧を越えて使用することができない。そのため、そのような二次電池からなる複数の単電池を直列に接続したラインを複数並列に接続して構成した並列組電池では、いずれかのラインにおいて、内部抵抗が他の単電池の内部抵抗よりも著しく増大した劣化単電池が一つでも存在していると、組電池として使用可能な容量が著しく減少してしまうことがある。特に、大電流充放電を行うような場合はそうである。
【特許文献１】特開２００６−１３８７５０号公報
【発明の開示】
【発明が解決しようとする課題】
【０００３】
本発明は、上記のような問題点に鑑み、複数の単電池を直列に接続したラインが複数備えられ、該複数のラインが並列に接続された並列組電池において、いずれかのラインにおける一部の劣化単電池によって引き起こされる使用可能な容量の低下を防ぐことができる並列組電池を提供することを課題とする。
【課題を解決するための手段】
【０００４】
上記の課題は、複数の単電池を直列に接続したラインが複数備えられ、該複数のラインが並列に接続された並列組電池において、
前記ラインのそれぞれに設けられた開閉器と、
各ラインの各単電池の内部抵抗を求める内部抵抗検知手段と、
該検知手段からの検知信号に基づいて、内部抵抗値が設定抵抗値を上回る抵抗値を示した単電池の存在するラインを切り離す制御を前記開閉器に対して行う制御部と
が備えられていることを特徴とする並列組電池によって解決される。
【０００５】
この並列組電池では、開閉器と内部抵抗検知手段と制御部とによって、内部抵抗値が設定抵抗値を上回る抵抗値を示した単電池の存在するラインが切り離されるようになされているので、該単電池による並列組電池の使用可能な容量の低下を防ぐことができる。
【発明の効果】
【０００６】
本発明の並列組電池は、以上のとおりのものであるから、いずれかのラインにおける一部の劣化単電池によって引き起こされる使用可能な容量の低下を防ぐことができる。
【発明を実施するための最良の形態】
【０００７】
次に、本発明の実施最良形態を図面に基づいて説明する。
【０００８】
図１に示す実施形態の並列組電池は、リチウムイオン二次電池などの二次電池からなる単電池Ｓを複数個（１〜ｍ）直列に接続したラインＬを複数本（１〜ｎ）備え、これら複数のラインＬ１〜Ｌｎを並列に接続したものからなっていて、各ラインＬ１〜Ｌｎには、第１開閉器Ｍｇ１〜Ｍｇｎが設けられている。
【０００９】
そして、前記ラインＬ１〜Ｌｎと並列に、内部抵抗検知手段を構成する検知用ラインＬｓが接続され、該検知用ラインＬｓには、抵抗体Ｒと、第２開閉器ＳＷ１と、電流計測器としての変流器ＣＴとが設けられていて、制御部１により、第３開閉器ＳＷ２を開いて充電器や負荷側との接続を解除し、第２開閉器ＳＷ１と、電池ラインＬ１〜Ｌｎのいずれかの一つの第１開閉器Ｍｇ、例えば第１開閉器Ｍｇｎとを閉じ、他の第１開閉器を開いた状態にすると、その回路に電流Ｉｎが流れ、その電流値を変流器ＣＴが計測し、その電流値Ｉｎと、そのラインＬｎに備えられた各単電池Ｓｎ−１〜Ｓｎ−ｍの電圧値とが、モニター回路２を経て同じく内部抵抗検知手段を構成する処理部３に入力され、該処理部３において、そのラインＬｎの各単電池Ｓｎ−１〜Ｓｎ−ｍの内部抵抗値が算出されるようになされている。これがラインＬ１〜Ｌｎに対して行われる。なお、第２開閉器ＳＷ１と第３開閉器ＳＷ２とが同時に閉じないようにインターロックを設けておくとよい。
【００１０】
そして、処理部３においてこうして求められた各単電池Ｓ１−１〜Ｓｎ−ｍの内部抵抗値は、制御部１において、劣化判断の基準となる設定抵抗値と比較され、設定抵抗値を上回る抵抗値を示す単電池Ｓがあると判断したときは、制御部１は、その単電池Ｓの存在するラインＬの第２開閉器Ｍｇを開いて、そのラインＬを並列組電池から切り離す制御を行う。これにより、並列組電池の使用可能な容量の低下が防がれるようになされている。
【００１１】
上記の設定抵抗値に関しては、種々の設定のされ方がされてよいが、特に、上記のようにして検知された各単電池の内部抵抗値に基づいて、それらの平均値を求め、その平均値よりも所定の値だけ大きな値、例えば、平均値の３倍あるいは５倍などの値を設定抵抗値とし、それを上回る抵抗値を示す単電池を劣化単電池と判断するような制御が行われるようにされているとよい。その場合に、周囲の環境温度などをパラメーターとして含ませ、設定抵抗値を平均値の何倍の値にするかなど、倍数が変動するような構成を採っておくと、より適正な判断が可能になる。
【００１２】
また、制御部１により、設定抵抗値を上回る抵抗値を示す単電池があると判断したときは、表示部４に表示の指令が行われるようになされている。表示部４による表示は、人の五感に訴える種々の方法で行われるようになされていてよい。表示の内容は、切り離しが行われた事実であってもよいし、切り離したラインがどのラインであるかを特定するものであってもよいし、ラインの切離しの原因となった単電池がどの単電池であるかを特定するものであってもよい。原因となった単電池がどの単電池であるかを特定する表示がなされる場合は、その単電池を交換することで修復を容易にすることができる。
【００１３】
このように、上記の並列組電池によれば、内部抵抗値が設定抵抗値を上回る抵抗値を示した単電池の存在するラインが切り離されるようになされているので、該ラインによる並列組電池の使用可能な容量の低下を防ぐことができる。
【００１４】
以上に、本発明の実施形態を示したが、本発明はこれに限られるものではなく、発明思想を逸脱しない範囲で各種の変更が可能であり、例えば、単電池として種々の電池が用いられてよい。
【図面の簡単な説明】
【００１５】
【図１】実施形態の並列組電池の構造を示す回路図である。
【符号の説明】
【００１６】
１…制御部
２…モニター回路（内部抵抗検知手段）
３…処理部（内部抵抗検知手段）
Ｓ…単電池
Ｌ１〜Ｌｎ…電池のライン
Ｌｓ…検知用ライン（内部抵抗検知手段）
Ｍｇ１〜Ｍｇｎ…第１開閉器（開閉器）
【図１】
2008153150.tif 000003